(57)【特許請求の範囲】
【請求項１】
遊技盤の前面の非遊技領域と接触もしくは近接する遊技盤取付枠の内側コーナー部に、遊技盤の盤面と平行に延びる飾り縁枠取付部を薄板状に形成し、遊技領域側の側面にそれぞれレール保持部が形成され、前記飾り縁枠取付部に着脱自在に取り付けられる底部材と装飾カバー部材とから飾り縁枠を構成し、底部材には遊技盤の遊技領域に近接する側の周縁部に受溝と溝壁部とが形成され、装飾カバー部材には該受溝に対向するようにひさし状に延びるとともに先端に複数の係止爪を有する押さえ部が形成され、さらに前記装飾カバー部材には外レールの背面側に当接する当接部が設けられ、該当接部の当接面は所定のピッチで分散して設けられており、当接面相互を繋ぐ部位にその当接面より僅かに凹む凹所を形成し、該凹所のある位置ごとに前記係止爪が配設され、底部材に装飾カバー部材を被せて一体化することで前記受溝と押さえ部とにより外レールを挟み込み、同時に前記溝壁部と係止爪とにより外レールを遊技盤に対して略垂直起立状態で保持し、前記当接面と係止爪とが外レールの縁部に対して互い違いに当接する関係を持たせたことを特徴とするパチンコ機の飾り縁枠構造。
【請求項２】
遊技領域側の側面にそれぞれレール保持部が形成され、遊技盤の盤面に固定される底部材と装飾カバー部材とから飾り縁枠を構成し、底部材には遊技盤の遊技領域に近接する側の周縁部に受溝と溝壁部とが形成され、装飾カバー部材には該受溝に対向するようにひさし状に延びるとともに先端に複数の係止爪を有する押さえ部が形成され、さらに前記装飾カバー部材には外レールの背面側に当接する当接部が設けられ、該当接部の当接面は所定のピッチで分散して設けられており、当接面相互を繋ぐ部位にその当接面より僅かに凹む凹所を形成し、該凹所のある位置ごとに前記係止爪が配設され、底部材に装飾カバー部材を被せて一体化することで前記受溝と押さえ部とにより外レールを挟み込み、同時に前記溝壁部と係止爪とにより外レールを遊技盤に対して略垂直起立状態で保持し、前記当接面と係止爪とが外レールの縁部に対して互い違いに当接する関係を持たせたことを特徴とするパチンコ機の飾り縁枠構造。
【発明の詳細な説明】
【０００１】
【発明の属する技術分野】
本発明は、パチンコ機の飾り縁枠構造に関し、詳しくは、誘導レールの取り付けや交換を容易にする技術に関する。
【０００２】
【従来の技術】
パチンコ機は、遊技盤前面の遊技領域を取り囲むように配設されている誘導レールにより、発射装置から飛び出したパチンコ球を遊技領域へと誘導している。この誘導レールの取付構造としては、遊技盤に例えばピン部材を用いて直接固定するのが一般的である。
また、特開平９−２０１４５２号公報には、遊技盤に取り付けられる飾り部材である飾り縁枠の固定基板に対して誘導レール（外レール）を固定する取付構造が開示されている。この例では、誘導レールは、固定基板の裏面側からビス等で固定される固定金具によって固定され、その固定基板は表面側からビス等で遊技盤本体に取り付けられるようになっており、飾り部材と外レールを遊技盤に組み付け易くするとともに、外レールの角度調整を治具で簡単に行えるようにしている。
【０００３】
【発明が解決しようとする課題】
上記の誘導レールは、発射装置から飛び出したパチンコ球が衝突するために、経時的な汚れとか摩耗が生じ易く、交換が必要になる。ところが、前述したように、ピン部材を用いて遊技盤に直接固定した誘導レールは、簡単に交換することができなかった。また、前記公報にて開示された、飾り部材を介して外レールを固定する構造においても、誘導レールの交換を簡単にするという考えには至っておらず、外レールを簡単に取り外すことができない。
すなわち、上記の従来技術では、外レールの交換に多くの工数が要り、また、遊技盤を廃棄する場合の分別作業に手間取るという点で問題がある。
【０００４】
本発明は上記の事情に鑑みてなされたものであり、その目的とするところは、パチンコ機の遊技盤前面にセットされる誘導レールを簡易迅速に着脱できるようにすることである。
【０００５】
【課題を解決するための手段】
この課題は、前記の各請求項に記載したパチンコ機の飾り縁枠構造により解決される。本明細書において、パチンコ球を誘導する湾曲した誘導レールに囲まれる領域、すなわち障害釘や入賞口や役物などが配設されている部分を遊技領域といい、誘導レールの外側となる部分を非遊技領域という。
【０００６】
請求項１又は２に係る発明では、外レールの縁部に対して当接面と係止爪とが互い違いに当接して該外レールが保持されるようにしたことから、外レールを確実に保持することができると共に、該外レールの取り付け／取り外しが容易になる。
【０００９】
ところで、上記のごとく基部材と装飾カバー部材を別体に構成し締結部材で締結するとした場合、基部材と装飾カバー部材とで誘導レールを挟持するロック状態と、誘導レールを解放できるロック解除状態とをワンタッチ式に切り替え得る構成とするのが好ましい。例えば、前記基部材と前記装飾カバー部材にそれぞれ係合する係合片を前記締結部材に形成し、その係合片の位置がワンタッチ式に切替操作されることで、前記基部材に対して前記装飾カバー部材をロックし、あるいはロック解除できるように構成することが好ましい。このようにすれば、取り付け作業や分解作業において、工具や機械等が不要で作業性が向上するからである。
【００１０】
【発明の実施の形態】
〔第１実施形態〕
以下、本発明の実施形態を図に基づいて説明する。図１は遊技盤取付枠と飾り縁枠の取付構造を説明する分解斜視図である。同図に示す遊技盤取付枠１は、例えば合成樹脂で全体の形状が縦長の略矩形枠状に成形され、上下左右の周縁部分には多数の補強リブが設けられて軽量化と剛性向上が図られている。この遊技盤取付枠１の背面側に遊技盤２０がボルト等を利用した適宜な固定手段を介して取り付けられ、遊技盤前面の障害釘や入賞口や役物などが配設されている部分（遊技領域ともいう）を遊技盤取付枠１の開口部（くり抜き部）２から露出させるようになっている。
【００１１】
この遊技盤取付枠１の内側四隅のコーナー部には、飾り縁枠取付部（以下、単に「取付部」という）３ａ，３ｂ，３ｃ，３ｄが設けられており、詳しくは後述するが、ここに飾り縁枠３０，４０，５０を取り付けるようになっている。図中の６０は証紙貼付部３ｅに取り付けられる窓付きの飾り縁枠である。
なお、遊技盤取付枠１の前面側には、図示されていないが、遊技盤２０の盤面を被う透明ガラス板と電飾装置を有する保持枠、パチンコ球を貯留する上皿及び下皿、パチンコ球発射装置を操作するハンドル装置などが前面枠と共に配置されてパチンコ機が構成される。
【００１２】
本実施形態の場合、遊技領域を取り囲むようにセットされるパチンコ球誘導レールのうち、右下隅のパチンコ球発射装置から飛び出したパチンコ球が衝突して方向を変えるように遊技盤２０のほぼ左半面に配置する略円弧状の外レール７０が上記の飾り縁枠３０及び４０にて保持されるようになっている。
【００１３】
上記の飾り縁枠３０は、底部材（基部材ともいう）３１に装飾カバー部材３８を被せて一体化する構成とされ、底部材３１と装飾カバー部材３８には両者を固定するための嵌合凹凸部と、外レール７０を挟み込んで保持するためのレール保持部とが形成されている。
上記の飾り縁枠４０は、底部材（基部材ともいう）４１に装飾カバー部材４８を被せて一体化する構成とされ、底部材４１と装飾カバー部材４８には両者を固定するための嵌合凹凸部と、外レール７０を挟み込んで保持するためのレール保持部とが形成されている。
この場合、外レール７０は飾り縁枠３０と４０とにより中央部分を若干残して両側部分が保持されるので、飾り縁枠３０と４０の固定前においては外レール７０の中央部分を弾性限度内で曲げることが可能である（図８参照）。
また、飾り縁枠５０は、底部材（基部材ともいう）５１に装飾カバー部材５８を被せて一体化する構成である。
なお、これらの飾り縁枠３０，４０，５０には、ランプを内蔵させて装飾効果を一層高めるようにするのが好ましい。
上記のレール保持部の詳細構造については、後述する第２実施形態において説明する。
【００１４】
次に、上記の飾り縁枠３０，４０，５０の取付構造について説明する。図２は遊技盤取付枠の左上部分を拡大して示す正面図、図３は図２のＩＩＩ−ＩＩＩ線断面を斜めにして見た図である。図１〜図３に示すように、遊技盤取付枠１の各取付部３ａ〜３ｄは遊技盤２０の盤面と平行に延びる薄板状に形成されており、遊技盤取付枠１が遊技盤２０を所定の位置に支持したときに、各取付部３ａ〜３ｄの背面側が遊技盤２０の前面、詳しくは遊技盤２０の非遊技領域と接触もしくは近接する位置にくるように設定されている。
【００１５】
そして、各取付部３ａ〜３ｄと、対応する各飾り縁枠３０，４０，５０とには互いに係合／離脱可能に形成されて対をなす係合部がそれぞれ設けられ、飾り縁枠３０，４０，５０を遊技盤取付枠１の前面側からワンタッチ式に着脱することができるようになっている。この係合部の構成について、左上の取付部３ａと飾り縁枠３０を例にとって詳しく説明することにする。
【００１６】
先ず、取付部３ａ側の係合部について説明すると、取付部３ａには係合穴４と、係合片５及び６とが形成されている。この係合片５及び６は、図３及び図７参照、取付部３ａから基部５ａ，６ａが隆起し、その基部５ａ，６ａから係止梁部５ｂ，６ｂが取付部３ａ上面（飾り縁枠取付面）との間に板部材を差し込み可能なように略一定の間隔を隔てた位置に片持ち梁状に延び、かつ、係止梁部５ｂ，６ｂの背面側の所定の位置には略半球形状の突起５ｃ，６ｃが取付部３ａとの隙間を狭める方向に突設されてなる構成である。なお、取付部３ａには、係合片５及び６の真下にその係合片５及び６とほぼ同一形状の窓孔５ｄ，６ｄが形成されているが、これは成形を容易にするためのものである。
【００１７】
次に、飾り縁枠３０側の係合部について説明する。図４は飾り縁枠３０の底部材３１を示す平面図である。飾り縁枠３０は、図１参照、略板状の底部材３１の底面（背面）を取付部３ａに当接させるようになっており、この底部材３１には取付部３ａに直交する方向、すなわち遊技盤２０の盤面垂直方向に延びて前記係合穴４に回動自在に嵌合する棒状の係合突部３２（図４及び図８参照）と、図示形状の孔部３３，３４が形成されている。孔部３３，３４は、それぞれ、前記係止梁部５ｂ，６ｂの平面形状より僅かに大きな略矩形の孔部３３ａ，３４ａと、前記基部５ａ，６ａの断面形状に対応する大きさの孔部（あるいは溝）３３ｂ，３４ｂとが連設された状態に形成されている。孔部３３，３４は本例のような貫通孔のほか、適宜形状の窪みであっても良い。
【００１８】
さらに、底部材３１には、孔部３３，３４近傍の所定位置に、前記突起５ｃ，６ｃに対応する大きさの孔部もしくは窪み３５，３６が形成されている（図７参照）。図中の３７は、前記外レール７０を保持するための段付部（保持部）であり、このほかに、装飾カバー部材３８を取り付けるための嵌合凹凸部が形成されている。なお、底部材３１と装飾カバー部材３８の連結に、ボルトナット等の適宜な締結具を用いることにしても構わない。
【００１９】
ここで、取付部３ａと底部材３１の両係合部の作用について説明する。図５は、係合の第１ステップを説明する図である。すなわち、底部材３１に設けられた係合突部３２が取付部３ａの係合穴４にはめ込まれ、底部材３１の孔部３３ａ，３４ａに対しては取付部３ａ側の係合片５及び６がはまり込んでいる。この状態において、底部材３１の底面（背面）が取付部３ａの上面（取付面）に当接し、底部材３１は係合突部３２の軸線回りに回動自在な状態で支持されているが、軸線方向、すなわち、取付部３ａに対して垂直に引っ張ると係合突部３２が抜けて係合関係が解除される。この係合突部３２と係合穴４が対をなして第１の係合部を構成している。
【００２０】
続いて、係合の第２ステップとして、底部材３１を係合突部３２の軸線回りに反時計方向に回動させれば、図６及び図７に示すように、係合片５，６の基部５ａ，６ａと孔部３３ｂ，３４ｂが係合し、突起５ｃ，６ｃが孔部３５，３６にはまり込むことで所定の位置に位置決めされる。このように、底部材３１の一部（孔の縁部）が係合片５，６の係止梁部５ｂ，６ｂの下側に潜り込んだ状態になって抜け止めがなされるので、底部材３１がしっかりと保持され、一方向の動きだけでは簡単に外れない。
上記の係合片５，６と底部材３１とを係合／離脱させる構成、具体的には、基部５ａ，６ａと孔部３３ｂ，３４ｂ、及び突起５ｃ，６ｃと孔部３５，３６がそれぞれ対をなして第２の係合部を構成している。
【００２１】
飾り縁枠３０と取付部３ａにそれぞれ設けられた係合部は上記のように構成されている。なお、飾り縁枠４０，５０と取付部３ｂ，３ｃの係合関係も上記と同様の構成であり、取付部３ｂには係合穴７と係合片８，９が形成され、取付部３ｃには係合穴１１と係合片１２，１３，１４が形成されている。他方、飾り縁枠４０の底部材４１には孔部４３，４４が形成され、飾り縁枠５０の底部材５１には孔部５３，５４，５５が形成され、底部材４１には係合突部４２が形成され、さらに、装飾カバー部材５８には係合突部５２が形成されている。各係合部の作用は前述したのとほぼ同様である。
【００２２】
次に、上記の係合部構成を有する、飾り縁枠３０，４０，５０の着脱操作について説明する。飾り縁枠３０及び４０は、図８に示すように、それぞれ一体に組み立てられ外レール７０を保持して連結しているものとする。
先ず、図９に示すように、外レール７０を若干内側に折り曲げるようにして飾り縁枠３０と４０を取付部３ａ，３ｂにあてがう。そして、前述したように、係合突部３２，４２を対応する係合穴４，７にはめ込むとともに、係合片５，６，８，９をそれぞれ対応する孔部３３，３４，４３，４４にはめ込んだ状態にする。これで底部材３１，４１の底面（背面）と取付部３ａ，３ｂの前面（取付面）とが当接する。
【００２３】
その後、飾り縁枠３０と４０を上下に押し開くようにして取付部３ａ，３ｂに沿わせて係合突部３２，４２の軸線回りに回転させると、前述したように、取付部３ａ，３ｂ側の係合部に対し底部材３１，４１側の係合部が係合することで両飾り縁枠３０，４０が所定の位置に保持される。
また、飾り縁枠６０を証紙貼付部３ｅに取り付け、さらに、図１０に示すように、向かって右側の飾り縁枠５０を係合穴１１にはめ込んだ後、係合突部５２の軸線回りに回転させることで取り付けを終える。
この状態が図１１に示されている。
【００２４】
なお、取り外す場合は、取付時とは反対方向に各飾り縁枠を動かせば良い。
このように、各飾り縁枠は、工具を用いずとも簡単かつ迅速に遊技盤取付枠の取付部に着脱することができる。さらに、飾り縁枠３０，４０を底部材３１，４１と装飾カバー部材３８，４８とに分解することで外レール７０の取り替えが簡単にできる。
【００２５】
〔第２実施形態〕
次に、本発明の第２実施形態を図に基づいて説明する。図１２は遊技盤取付枠と飾り縁枠を示す分解斜視図、図１３は飾り縁枠８０及び９０の分解斜視図である。図１２に示した遊技盤取付枠１は、第１実施形態において説明したものと同じものであって、取付部３ａ，３ｂに次述する飾り縁枠８０，９０が取り付けられ、取付部３ｃ，３ｄには前述した飾り縁枠５０，６０が取り付けられる。この飾り縁枠８０，９０の取付部３ａ，３ｂに対する係合部の構成（取付構造）は、第１実施形態における飾り縁枠３０，４０の取付部３ａ，３ｂに対するものと全く同じ構成であり、着脱方法も同じになるのでここでは上記係合部の説明を省略し、以下、飾り縁枠８０及び９０のそれぞれが有する締結構造とレール保持構造について述べる。なお、これらの構造は飾り縁枠８０と９０で基本的に同じであるので簡単のため飾り縁枠８０についてのみ拡大図で示す。
【００２６】
図１３〜図１５に示すように、飾り縁枠８０と９０は、それぞれ、底部材８１，９１に装飾カバー部材８８，９８を被せて一体化する構成とされ、底部材８１，９１と装飾カバー部材８８，９８には両者を位置決め固定するための嵌合凹凸部と、外レール７０を挟み込んで保持するためのレール保持部とが形成されている。
【００２７】
この嵌合凹凸部を飾り縁枠８０の場合について説明すると、底部材８１にはループ状に延びる壁部８１ａと、ピン状の複数の突起８１ｂと形成され、装飾カバー部材８８側には壁部８１ａと係合する段付部もしくは溝と、突起８１ｂが嵌合する穴が形成され、また、底部材８１と装飾カバー部材８８には次述する締結具１００を装着するための略筒状の締結部８１ｃ，８８ｃが互いの筒状部同士を係合可能な形に成形されている。そして、筒状部が同心状に並んで一の連通孔を形成するようになっている。両締結部８１ｃ，８８ｃは、内周面に軸線方向に延びる溝８１ｄ，８８ｄが形成されて真っ直ぐに連通するようになっており、さらに、外側の両端面には挿入された締結具１００の突出を避けるための座繰り部（凹部）が形成されている。
なお、底部材８１，９１には、前述の係合片５，６，８，９に対応する孔部８３，８４，９３，９４が形成されている。また、底部材９１は、底部材８１と同様構成の壁部９１ａと突起９１ｂを有している。
【００２８】
上記の締結具１００は、図１６に拡大して示す形状とされ、本体１０１の一端に半径方向に突出し前記溝８１ｄ，８８ｄにはまり込むことのできる突部１０２が形成され、他端には半径方向に突出する前記溝８１ｄ，８８ｄの断面形状より大きな略扇形の突部１０３と、軸線方向に突出する操作部（具体的にはつまみ）１０４とが形成されている。
したがって、締結具１００を先端から締結部８１ｃ，８８ｃの連通孔に挿通すると、先端の突部１０２も、図１７に示すように溝８８ｄ，８１ｄを貫通する。その状態でつまみ１０４を回すと、先端の突部１０２が溝８１ｄの位置からずれることにより、突部１０２と１０３で上記連通孔の縁部（本例では孔と同心状に形成された段付面である。）を挟み込む状態になり（図１５参照）、締結具１００が外れなくなる。このように、締結具１００がロック位置に回動（角変位）することによって底部材８１と装飾カバー部材８８が一体に結合されてロック状態になる。
【００２９】
なお、締結部８８ｃには、回転した突部１０３の側面が当接可能な段付部８８ｚ１，８８ｚ２が設けられており、突部１０２及び１０３の回転方向の位置決めをして操作し易くしている。この段付部は締結部８１ｃに設けて突部１０２の側面を当接させる構成にしても良い。また、これらの突部１０２，１０３がロック位置にきたときに接触する部位を若干の段付形状にするなどして締結具１００の回動操作に節度感を持たせるようにするのが好ましい。
締結具１００を挿入時とは逆に操作して取り外せば、底部材８１と装飾カバー部材８８を分離させることができる。
本発明でいう締結操作部は上記のように構成されている。
【００３０】
次に、前記レール保持部について説明する。図１４に良く表れているように、底部材８１には、遊技盤の遊技領域に近接する側の周縁部に受溝８１ｅと溝壁部８１ｆが形成されている。他方、装飾カバー部材８８には、受溝８１ｅに対向するようにひさし状に延びる細巾の押さえ部８８ｅが形成され、その押さえ部８８ｅの先端に複数の係止爪８８ｆが突設されている。装飾カバー部材８８には、外レール７０の背面側に当接する当接部が設けられている。当接部の当接面８８ｈは所定のピッチで分散して設けられており、当接面８８ｈ相互を繋ぐ部位がその当接面８８ｈより僅かに凹む凹所８８ｉを形成している。なお、凹所８８ｉのある位置ごとに係止爪８８ｆが配設されている。
【００３１】
そして、底部材８１に装飾カバー部材８８を被せて一体化する際、受溝８１ｅと押さえ部８８ｅとにより外レール７０を挟み込み、同時に溝壁部８１ｆと係止爪８８ｆにて外レール７０を保持する。このとき、外レール７０の背面側には所々わずかな隙間ができており、かつ、当接面８８ｈと係止爪８８ｆが外レール７０の縁部に対して互い違いに当接する関係になっている。このようにすることで、外レール７０を確実に保持することができる。なお、このような隙間を、パチンコ球が衝突する際の衝撃の吸収に役立てることも可能である。
【００３２】
さて、遊技盤取付枠１に飾り縁枠８０，９０を着脱する手順としては、第１実施形態で説明したと同様に、飾り縁枠８０，９０と外レール７０を連結したものを取付部３ａ，３ｂに取り付け／取り外しする方法と、先ず、底部材（基部材ともいう）８１，９１を取付部３ａ，３ｂに取り付けておき、それに対して外レール７０と装飾カバー部材８８，９８を着脱する方法とがある。
図１８は、後者の方法の説明図である。すなわち、後者の方法によれば、図からわかるように、遊技盤取付枠１の取付部３ａに底部材８１を取り付けたままにして外レール７０だけを簡単に取り替えることができる。
なお、図１９に、飾り縁枠５０，６０，８０，９０および外レール７０を取り付けた遊技盤取付枠１を示す。
【００３３】
〔第３実施形態〕
次に、上記実施形態で説明した飾り縁枠を遊技盤取付枠の取付部ではなく遊技盤の盤面に直接取り付けるようにした実施形態について説明する。
図２０は飾り縁枠８０，９０の取付構造を説明する分解斜視図である。同図に示すように、この場合、底部材（基部材ともいう）１８１，１９１は、遊技盤１２０の盤面の所定位置にビスＢを介して固定される。この底部材１８１，１９１に対して装飾カバー部材８８，９８を着脱する構造、及び底部材１８１，１９１と装飾カバー部材８８，９８とで外レール７０を保持するレール保持部の構造については前述の実施形態で述べたものと変わりはないので説明を省略する。なお、図中の締結部１８１ｃ，１９１ｃは、前述した締結部８１ｃ，９１ｃと同一形状であり、締結部８８ｃ，９８ｃと位置合わせされたうえで締結具１００が装着されるようになっている。また、１８１ａ，１９１ａは前述した壁部８１ａ，９１ａと、１８１ｂ，１９１ｂは突部８１ｂ，９１ｂとそれぞれ同じ形状のものである。
【００３４】
上記のビス止め固定に代えて他の適宜な締結手段を使用し得る。図２１は圧入構造を説明する図であって、図２０のＣ−Ｃ断面に相当する部位を分解して示す断面図である。すなわち、同図に示すように、遊技盤１２０と底部材１８１，１９１に、互いにはまり合う嵌合部、具体的には嵌合孔１２１及び嵌合突部１８１ｘ，１９１ｘを設けておき、遊技盤１２０に対して底部材１８１，１９１を重ね合わせるようにして押しつけることで両者を圧入によって結合させることができる。この圧入方式によれば、飾り縁枠８０，９０を正確な位置に簡易迅速に取り付けることが可能になる。
【００３５】
〔締結部材の別例〕
次に、上述の締結部材の更に好ましい態様について説明する。図２２は締結具２００を操作部側から見た斜視図、図２３は先端側から見た斜視図、図２４は正面図、図２５は側面図、図２６は背面図である。また、図２７は締結具２００が差し込まれる孔（締結部）を差込側から見た図、図２８はその孔を背面側から見た図、図２９は孔形状を説明するための図２７のＤ−Ｄ線断面図である。
図２２〜図２６に示す締結具２００は合成樹脂製であり、概ね円筒状の外観を有する本体２０１の一端側に、略扇形フランジ状の突部２０２，２０２が本体２０１の外周部から半径方向に突出するように形成され、端面にはつまみ２０３が突設されている。さらに、本体２０１には軸線に沿って先端側から切り込んだ形状のスリットによりカンチレバー状の棒状部２０４，２０４が形成され、各棒状部２０４の先端には本体２０１の外側へ半径方向に突出する係合爪２０５がそれぞれ形成されている。この棒状部２０４は外力により撓むように所定の弾性が付与されており、係合爪２０５が本体２０１の外径とほぼ同径位置になる縮径状態に弾性変位することができる。なお、図２４に良く表れているように、突部２０２の扇形形状は係合爪２０５の端面形状及び次述する溝３０２の断面形状よりはるかに大きく設定されている。
【００３６】
次に、締結具２００を差し込む孔側となる締結部３００について図を参照して説明する。上記締結具２００を装着する締結部３００は、前述した飾り縁枠の底部材（基部材）と装飾カバー部材とにわたって形成されるものであり、両者を位置合わせして重合させたときに連通する連通孔（締結具差込孔）３０１と、これに付随する溝、段付部、係合部等からなる。
すなわち、図２７〜図２９参照、連通孔３０１は締結具２００の本体２０１を回動可能に差し込み得る孔形状に形成され、連通孔３０１の内周面には係合爪２０５に対応する断面形状（溝幅）を有し軸線と平行に延びる溝３０２，３０２が形成されている。この溝３０２に係合爪２０５を挿通することで本体２０１が連通孔３０１に差し込み可能になる。
【００３７】
さらに、締結部３００の差し込み側の端面には前記突部２０２が当接可能な当接面３０３ａ及び３０３ｂを有する凹部が孔縁部３０４より若干低くなる位置に、本例では突部２０２の厚み分の深さで凹設されていて、この凹部は、締結具２００が当接面３０３ａあるいは３０３ｂに突部２０２の当接面２０２ａを接触させた状態で所定の角度回動できる大きさに形成されている。
【００３８】
他方、連通孔３０１の奥まった位置に、突部２０２の回動、すなわち締結具２００の回動を規制するための規制部が連通孔３０１より拡径された図示形状に設けられている。この規制部には、締結具２００が当接面２０２ａを孔縁部３０４に接触させた状態で一方向（図３０の時計回転方向）へ回動するときに、溝３０２と合致する角度位置にある係合爪２０５を溝外へ変位可能にする部分拡径部３１０と、その係合爪２０５を所定の角度位置において係止せしめる部分拡径部３１０の内周面に突出する形状の第１係止部３１１とが形成されている。換言すると、上記の締結具２００は係合爪２０５が第１係止部３１１に接触する角位置までは軽く回動し、係合爪２０５の係合面２０５ａが部分拡径部３１０の段付面３１０ａ（図２９参照）に対向して近接する状態になる。したがって、締結具２００は抜け止めがなされ、真っ直ぐに引き抜くことができなくなる。
【００３９】
そして、係合爪２０５の外周部が第１係止部３１１に係止した状態の締結具２００を回動操作すると、その外力によって棒状部２０４が撓むことで係合爪２０５は縮径方向に弾性変位して第１係止部３１１を乗り越えることができる。なお、その係合爪２０５が第１係合部３１２に入ったときには突部２０２が孔縁部３０４から外れる位置関係になっている。すなわち、この締結具２００は突部２０２が孔縁部３０４から外れることによって、当接面２０２ａが当接面３０３ａ及び３０３ｂに接触するまで前進可能になる。第１係止部３１１を乗り越えた係合爪２０５は第１係合部３１２内で弾性により元の径寸法の姿に復帰するので、その角位置から締結具２００が反時計回転方向に回転するためには、係合爪２０５にもう一度第１係止部３１１を乗り越えさせる外力（操作力）を要する。
【００４０】
さらに、上記の規制部には、内周側に突出する形状の第２係止部３１３と、弾性変位して第２係止部３１３を乗り越えた係合爪２０５を収容可能な第２係合部３１５とが設けられ、図２９参照、第２係合部３１５は部分拡径部３１０とは段付部３１４を介して深さ方向に段違いの位置に形成されている。そして、締結具２００の当接面２０２ａが当接面３０３ａ及び３０３ｂに接触もしくは近接状態になっていると、係合爪２０５は段付部３１４を連通孔３０１の軸方向にかわした位置関係になり、さらに、締結具２００が時計回転方向に回動操作されると、係合爪２０５は外周面が第２係止部３１３に対して強く押しつけられることで縮径方向に弾性変位し、これにより第２係止部３１３を乗り越えて第２係合部３１５に侵入することができるようになっている。このとき、係合爪２０５の係合面２０５ａは第２係合部３１５の段付面と対向する。この第２係合部３１５は、係合爪２０５の側部を当接させる当接部３１６を有しているので係合爪２０５、すなわち締結具２００がそれ以上回動することはない。
なお、締結部３００の各部形状は、図２７及び図２８からわかるように、連通孔３０１の中心軸線に対して点対称に形成されている。
【００４１】
本発明でいうところの締結操作部である締結具２００及び締結部３００は上記のように構成されている。この締結具２００を締結部３００に装着するときには、図３０及び図３１参照、つまみ２０３をつまんで本体２０１を連通孔３０１にあてがい、係合爪２０５の位置を溝３０２に合致させて挿入する。当接面２０２ａ（図２３参照）が当接面３０３ａ及び３０３ｂに当接したら、つまみ２０３を右にひねって締結具２００を回動させる。そして、係合爪２０５が第１係止部３１１を乗り越えて第１係合部３１２に位置する状態になると、つまみ２０３を操作する操作力にて締結具２００が前進できるから、さらに、つまみ２０３をひねって係合爪２０５が第２係止部３１３を乗り越えて当接部３１６に当接するまで締結具２００を回転させる。こうして、第２係合部３１５に収容された状態の係合爪２０５と突部２０２とで締結部３００の被締結部位を挟みつけるようにして、前記基部材と前記装飾カバー部材を強固に締結することができる。
【００４１】
このように、締結具２００を差し込んでから先ず右に回転させ、次に若干前進させ、さらに右に回転させるという操作方法であるから、一連の操作がスムーズにでき、かつ、各操作段階ごとに係合爪２０５が弾性変位と係止状態を繰り返すので、締結操作部の操作に節度感があり、しかも、締結具２００が簡単に脱落するおそれがない。
締結具２００を外すときには、上記とは逆の手順で操作すればよいので、工具等を使用することなく、締結具２００の着脱が可能である。
【００４２】
なお、上述の締結具１００に代えて、種々の構造の締結具やファスナーを利用することができる。場合によってはねじ止めでも良いが、上述したようにワンタッチ式に操作できる構造のものが作業が容易であるので好ましい。
この他、当業者の知識に基づき、種々の変更を加えた態様で本発明を実施し得ることは勿論である。
【００４３】
【発明の効果】
以上詳しく説明したように、本発明によれば、パチンコ機の誘導レールの取り付け／取り外しが容易になり、ひいては、遊技盤交換時において飾り縁枠及び／又は誘導レールを再使用し易くなるという効果がある。
【図面の簡単な説明】
【図１】  第１実施形態に係る遊技盤取付枠と飾り縁枠の取付構造を説明する分解斜視図である。
【図２】  遊技盤取付枠の左上部分を拡大して示す正面図である。
【図３】  図２のＩＩＩ−ＩＩＩ線断面を斜め位置から見た図である。
【図４】  飾り縁枠の底部材を示す平面図である。
【図５】  取付部と底部材の係合関係を説明する図である。
【図６】  取付部と底部材の係合関係を説明する図である。
【図７】  図６のＶＩＩ−ＶＩＩ線断面図である。
【図８】  遊技盤取付枠に飾り縁枠を取り付ける様子を説明する図である。
【図９】  遊技盤取付枠に飾り縁枠を取り付ける様子を説明する図である。
【図１０】  遊技盤取付枠に飾り縁枠を取り付ける様子を説明する図である。
【図１１】  飾り縁枠の取り付けが終わった遊技盤取付枠を示す斜視図である。
【図１２】  第２実施形態に係る遊技盤取付枠と飾り縁枠を示す分解斜視図である。
【図１３】  第２実施形態に係る飾り縁枠の分解斜視図である。
【図１４】  図１３の一部を破断して示す拡大図である。
【図１５】  図１３の一部を破断して示す部分拡大図である。
【図１６】  第２実施形態に係る締結具を拡大して示す斜視図である。
【図１７】  第２実施形態に係る締結具の装着状態を説明する図であり、（ａ）は締結部へ挿入する方向から見た図、（ｂ）は背面から見た図である。
【図１８】  第２実施形態に係る飾り縁枠と誘導レールの着脱を説明する図である。
【図１９】  第２実施形態に係る飾り縁枠を取り付けた遊技盤取付枠の斜視図である。
【図２０】  第３実施形態に係る飾り縁枠の取付構造を説明する分解斜視図である。
【図２１】  圧入構造を説明する図である。
【図２２】  別例に係る締結具を拡大して示す斜視図である。
【図２３】  同締結具を別の角度で見た斜視図である。
【図２４】  同締結具の正面図である。
【図２５】  同締結具の側面図である。
【図２６】  同締結具の背面図である。
【図２７】  同締結具を差し込む締結部の差込側を示す図である。
【図２８】  同締結具を差し込む締結部を背面側から見た図である。
【図２９】  図２７のＤ−Ｄ線断面図である。
【図３０】  締結具を締結部に差し込んだ状態を示す正面図である。
【図３１】  締結具を締結部に差し込んだ状態を示す背面図である。
【符号の説明】
１                                        遊技盤取付枠
３ａ〜３ｄ                                飾り縁枠取付部（取付部）
４，７，１１                              係合穴（第１の係合部）
５，６，８，９                            係合片
２０                                      遊技盤
３０，４０，５０，６０，８０，９０        飾り縁枠
３１，４１，８１，９１                    底部材（基部材）
３３，３４，４３，４４，５３，５４，５５  孔部
３３ｂ，３４ｂ                            孔部（第２の係合部）
３５，３６                                孔部（第２の係合部）
３８，４８，８８，９８                    装飾カバー部材
７０                                      外レール（誘導レール）
８１ｃ，８８ｃ，９１ｃ、９８ｃ            締結部
８１ｅ                                    受溝
８１ｆ                                    溝壁部
８８ｅ                                    押さえ部
８８ｆ                                    係止爪
８８ｈ                                    当接面
８８ｉ                                    凹所
１００，２００                            締結具
【図１】
0003782614.tif 000002
【図２】
0003782614.tif 000003
【図３】
0003782614.tif 000004
【図４】
0003782614.tif 000005
【図５】
0003782614.tif 000006
【図６】
0003782614.tif 000007
【図７】
0003782614.tif 000008
【図８】
0003782614.tif 000009
【図９】
0003782614.tif 000010
【図１０】
0003782614.tif 000011
【図１１】
0003782614.tif 000012
【図１２】
0003782614.tif 000013
【図１３】
0003782614.tif 000014
【図１４】
0003782614.tif 000015
【図１５】
0003782614.tif 000016
【図１６】
0003782614.tif 000017
【図１７】
0003782614.tif 000018
【図１８】
0003782614.tif 000019
【図１９】
0003782614.tif 000020
【図２０】
0003782614.tif 000021
【図２１】
0003782614.tif 000022
【図２２】
0003782614.tif 000023
【図２３】
0003782614.tif 000024
【図２４】
0003782614.tif 000025
【図２５】
0003782614.tif 000026
【図２６】
0003782614.tif 000027
【図２７】
0003782614.tif 000028
【図２８】
0003782614.tif 000029
【図２９】
0003782614.tif 000030
【図３０】
0003782614.tif 000031
【図３１】
0003782614.tif 000032